(57)【要約】      （修正有）【課題】多様な組合せができ、多様な配置パターンが可能なユニットソファを提供する。【解決手段】第１座面１６を有する第１座部１１と、前記第１座部に略垂直なＬ字型の側部１２と、前記第１座部に取り付けられた第１脚部１３と、を有する第１ソファ１０と、第２座面を有する第２座部と、前記第２座部に略垂直な側部と、前記第２座部に取り付けられた第２脚部と、を有する第２ソファと、第３座面を有する第３座部と、前記第３座部に略垂直な側部と、前記第３座部に取り付けられた第３脚部と、を有する第３ソファと、から選択された２以上のソファからなるユニットソファであり、少なくとも１つの前記第１ソファを含む。第１ソファと第２ソファの幅は略等しい。第３ソファの幅は第１ソファ及び第２ソファの幅の略２倍である。第１ソファと第２ソファと第３ソファの奥行き及び高さは略等しい。第１座面と第２座面と第３座面の高さは略等しい。【選択図】図１
0003234304.tif 000002
【実用新案登録請求の範囲】
【請求項１】
第１座面を有する第１座部と、前記第１座部に当接し該第１座部に略垂直に延びたＬ字型の側部と、前記第１座部に取り付けられ該第１座部から下方に延びた第１脚部と、を有する第１ソファと、
第２座面を有する第２座部と、前記第２座部に当接し該第２座部に略垂直に延びた背もたれ部と、前記第２座部に取り付けられ該第２座部から下方に延びた第２脚部と、を有する第２ソファと、
第３座面を有する第３座部と、前記第３座部に当接し該第３座部に略垂直に延びた背もたれ部と、前記第３座部に取り付けられ該第３座部から下方に延びた第３脚部と、を有する第３ソファと、
から選択された２以上のソファからなるユニットソファであって、
少なくとも１つの前記第１ソファを含み、
前記第１ソファの幅と前記第２ソファの幅は略等しく、前記第３ソファの幅は前記第１ソファ及び第２ソファの幅の略２倍であり、
前記第１ソファと前記第２ソファと前記第３ソファの奥行きは略等しく、
前記第１ソファと前記第２ソファと前記第３ソファの高さは略等しく、
前記第１座面と前記第２座面と前記第３座面の高さは略等しい、ユニットソファ。
【請求項２】
前記第１ソファを２つ以上含む、請求項１に記載のユニットソファ。
【請求項３】
隣接して配置された前記第１ソファ同士の間に前記Ｌ字型の側部の一部が配置される、請求項２に記載のユニットソファ。
【請求項４】
前記第１ソファの前記Ｌ字型の側部は、互いに略垂直な第１側面と第２側面とをそれぞれ有する第１側部と第２側部とからなり、
前記第１側部と前記第２側部とは、略同一の高さを有する、請求項１〜３のいずれか１項に記載のユニットソファ。
【請求項５】
前記第１座部と前記第２座部と前記第３座部の厚みは略等しく、
前記第１脚部と前記第２脚部と前記第３脚部の高さは略等しい、請求項１〜４のいずれか１項に記載のユニットソファ。
【考案の詳細な説明】
【技術分野】
【０００１】
本考案は、ユニットソファに関する。
【背景技術】
【０００２】
形状の異なるソファを組み合わせてさまざまな配置パターンで配置可能なユニットソファが知られている。
【考案の概要】
【考案が解決しようとする課題】
【０００３】
より多様な配置パターンで組合せ可能なユニットソファのニーズがある。
【０００４】
そこで、本考案の目的は、多様な組合せができさまざまな配置パターンが可能なユニットソファを提供することにある。
【課題を解決するための手段】
【０００５】
上記課題は、以下の本考案により解決される。すなわち、本考案（１）は、
第１座面を有する第１座部と、前記第１座部に当接し該第１座部に略垂直に延びたＬ字型の側部と、前記第１座部に取り付けられ該第１座部から下方に延びた第１脚部と、を有する第１ソファと、
第２座面を有する第２座部と、前記第２座部に当接し該第２座部に略垂直に延びた背もたれ部と、前記第２座部に取り付けられ該第２座部から下方に延びた第２脚部と、を有する第２ソファと、
第３座面を有する第３座部と、前記第３座部に当接し該第３座部に略垂直に延びた背もたれ部と、前記第３座部に取り付けられ該第３座部から下方に延びた第３脚部と、を有する第３ソファと、
から選択された２以上のソファからなるユニットソファであって、
少なくとも１つの前記第１ソファを含み、
前記第１ソファの幅と前記第２ソファの幅は略等しく、前記第３ソファの幅は前記第１ソファ及び第２ソファの幅の略２倍であり、
前記第１ソファと前記第２ソファと前記第３ソファの奥行きは略等しく、
前記第１ソファと前記第２ソファと前記第３ソファの高さは略等しく、
前記第１座面と前記第２座面と前記第３座面の高さは略等しい、ユニットソファである。
【０００６】
本考案（２）は、前記第１ソファを２つ以上含む、（１）に記載のユニットソファである。
【０００７】
本考案（３）は、隣接して配置された前記第１ソファ同士の間に前記Ｌ字型の側部の一部が配置される、（２）に記載のユニットソファである。
【０００８】
本考案（４）は、前記第１ソファの前記Ｌ字型の側部は、互いに略垂直な第１側面と第２側面とをそれぞれ有する第１側部と第２側部とからなり、前記第１側部と前記第２側部とは、略同一の高さを有する、（１）〜（３）のいずれか１に記載のユニットソファである。
【０００９】
本考案（５）は、前記第１座部と前記第２座部と前記第３座部の厚みは略等しく、前記第１脚部と前記第２脚部と前記第３脚部の高さは略等しい、（１）〜（４）のいずれか１に記載のユニットソファである。
【考案の効果】
【００１０】
本考案によれば、多様な組合せができさまざまな配置パターンが可能なユニットソファを提供することができる。
【図面の簡単な説明】
【００１１】
【図１】図１は、第１ソファの一例を示す斜視図である。
【図２】図２は、第１ソファの一例を示す正面図である。
【図３】図３は、第１ソファの一例を示す右側面図である。
【図４】図４は、第１ソファの一例を示す平面図である。
【図５】図５は、第２ソファの一例を示す斜視図である。
【図６】図６は、第２ソファの一例を示す正面図である。
【図７】図７は、第２ソファの一例を示す右側面図である。
【図８】図８は、第２ソファの一例を示す平面図である。
【図９】図９は、第３ソファの一例を示す斜視図である。
【図１０】図１０は、第３ソファの一例を示す正面図である。
【図１１】図１１は、第３ソファの一例を示す右側面図である。
【図１２】図１２は、第３ソファの一例を示す平面図である。
【図１３】図１３は、ユニットソファの組合せの一例を概略的に示す平面図である。
【図１４】図１４は、ユニットソファの組合せの一例を概略的に示す平面図である。
【図１５】図１５は、ユニットソファの組合せの一例を概略的に示す平面図である。
【図１６】図１６は、ユニットソファの組合せの一例を概略的に示す平面図である。
【図１７】図１７は、ユニットソファの組合せの一例を概略的に示す平面図である。
【図１８】図１８は、ユニットソファの組合せの一例を概略的に示す平面図である。
【図１９】図１９は、ユニットソファの組合せの一例を概略的に示す平面図である。
【図２０】図２０は、ユニットソファの組合せの一例を概略的に示す平面図である。
【図２１】図２１は、ユニットソファの組合せの一例を概略的に示す平面図である。
【図２２】図２２は、ユニットソファの組合せの一例を概略的に示す平面図である。
【図２３】図２３は、ユニットソファの組合せの一例を概略的に示す平面図である。
【図２４】図２４は、ユニットソファの組合せの一例を概略的に示す平面図である。
【図２５】図２５は、ユニットソファの組合せの一例を概略的に示す平面図である。
【図２６】図２６は、ユニットソファの組合せの一例を概略的に示す平面図である。
【図２７】図２７は、図２６に示す組合せに対応するユニットソファの一例の斜視図である。
【図２８】図２８は、第１ソファの他の例を示す斜視図である。
【図２９】図２９は、第２ソファの他の例を示す斜視図である。
【図３０】図３０は、第３ソファの他の例を示す斜視図である。
【図３１】図３１は、図２６に示す組合せに対応するユニットソファの他の例を示す斜視図である。
【考案を実施するための形態】
【００１２】
以下、図面を参照して本考案の実施形態に係るユニットソファについて説明する。本実施形態に係るユニットソファは、複数のソファを組み合わせることでさまざまな配置パターンが可能である。
【００１３】
ユニットソファは、第１ソファ１０を含み、さらに、第１ソファ１０と、第２ソファ３０と、第３ソファ４０との少なくとも１つを含む。つまり、ユニットソファは、少なくとも１つの第１ソファ１０を含む、２以上のソファからなる。
【００１４】
図１〜図４は、第１ソファ１０の一例を示す図である。第１ソファ１０は、１人掛けソファである。例えばキルティングソファであってよい。第１ソファ１０は、座部１１と、側部１２と、４つの脚部１３とを有している。
【００１５】
座部１１は、例えばウレタン材を含み、厚みＴ１の六面体からなる。座部１１は、略正方形の上面１４及び下面１５を有している。座部１１の上面１４は、座面１６を形成している。
【００１６】
側部１２は、第１側部１７と、第２側部１８とを有し、座部１１に当接し座部１１に略垂直に延びたＬ字型の部材である。つまり、第１側部１７と第２側部１８とは、互いに略垂直である。第１側部１７は、座部１１の一方の側面に固定されており、第２側部１８は、前記一方の側面に隣接する他の側面に固定されている。第１側部１７と第２側部１８とは、略同一部材であり、略同一の高さを有する。略同一形状であってよい。第１側部１７は、配置により背もたれ面又は側壁面をなす第１側面１９を有している。第２側部１８は、配置により背もたれ面又は側壁面をなす第２側面２１を有している。第１側面１９と第２側面２１とは互いに略垂直である。
【００１７】
側部１２は、Ｌ字型の上面２２及び下面２３を有している。下面２３は、座面１１の下面１５と面一になっている。下面１５、２３には、脚部１３が取り付けられている。脚部１３は、座部１１の下面１５及び側部１２の下面２３から下方に延びている。脚部１３は、ラバーウッド材などの木材からなってよい。アルミニウムなどの金属製であってもよい。
【００１８】
図２〜図４に示すように、第１ソファ１０は、幅Ｗ１、奥行きＤ１及び高さＨ１である。幅Ｗ１と奥行きＤ１とが等しい。
【００１９】
図５〜図８は、第２ソファ３０の一例を示す図である。第２ソファ３０は、１人掛けソファである。第２ソファ３０は、座部３１と、背もたれ部３２と、４つの脚部３３とを有している。
【００２０】
座部３１は、例えばウレタン材を含み、厚みＴ２の六面体からなる。厚みＴ２は、第１ソファ１０の座部１１の厚みＴ１に等しい。座部３１は、矩形の上面３４及び下面３５を有している。座部３１の上面３４は、座面３６を形成している。
【００２１】
背もたれ部３２は、座部３１に当接し座部３１に略垂直に延びている。背もたれ部３２は、座部３１の一方の側面に固定されている。背もたれ部３２は、側面をなす背もたれ面３７を有している。
【００２２】
背もたれ部３２は、上面３８及び下面３９を有している。下面３９は、座部３１の下面３５と面一になっている。下面３５、３９には、脚部３３が取り付けられている。脚部３３は、座部３１の下面３５及び背もたれ部３２の下面３９から下方に延びている。脚部３３は、第１ソファ１０の脚部１３と同じ材質、同じ形状であってよい。
【００２３】
図６〜図８に示すように、第２ソファ３０は、幅Ｗ２、奥行きＤ２及び高さＨ２である。幅Ｗ２と奥行きＤ２とが等しい。幅Ｗ２は、第１ソファ１０の幅Ｗ１に等しい。奥行きＤ２は、第１ソファ１０の奥行きＤ１に等しい。高さＨ２は、第１ソファ１０の高さＨ１に等しい。
【００２４】
図９〜図１２は、第３ソファ４０の一例を示す図である。第３ソファ４０は、２人掛けソファである。第３ソファ４０は、座部４１と、背もたれ部４２と、４つの脚部４３とを有している。
【００２５】
座部４１は、例えばウレタン材を含み、厚みＴ３の六面体からなる。厚みＴ３は、第１ソファ１０の座部１１の厚みＴ１及び第２ソファ３０の座部３１の厚みＴ２に等しい。座部４１は、矩形の上面４４及び下面４５を有している。座部４１の上面４４は、座面４６を形成している。
【００２６】
背もたれ部４２は、座部４１に当接し座部４１に略垂直に延びている。背もたれ部４２は、座部４１の一方の側面に固定されている。背もたれ部４２は、側面をなす背もたれ面４７を有している。
【００２７】
背もたれ部４２は、上面４８及び下面４９を有している。下面４９は、座部４１の下面４５と面一になっている。下面４５、４９には、脚部４３が固定されている。脚部４３は、座部４１の下面４５及び背もたれ部４２の下面４９から下方に延びている。脚部４３は、第１ソファ１０の脚部１３及び第２ソファ３０の脚部３３と同じ材質、同じ形状であってよい。
【００２８】
図１０〜図１２に示すように、第３ソファ４０は、幅Ｗ３、奥行きＤ３及び高さＨ３である。幅Ｗ３は、第１ソファ１０の幅Ｗ１及び第２ソファ４０の幅Ｗ２の約２倍である。奥行きＤ３は、第１ソファ１０の奥行きＤ１及び第２ソファ３０の奥行きＤ２に等しい。高さＨ３は、第１ソファ１０の高さＨ１及び第２ソファ３０の高さＨ２に等しい。
【００２９】
このように、本実施形態に係るユニットソファでは、第１ソファの幅と第２ソファの幅は略等しく、第３ソファの幅は第１ソファ及び第２ソファの幅の略２倍である。第１ソファと第２ソファと第３ソファの奥行き及び高さは略等しい。第１座面と第２座面と第３座面の高さは略等しい。
【００３０】
図１３〜図２６は、ユニットソファの組合せの一例を概略的に示す平面図である。少なくとも１つの第１ソファ１０を含み２以上のソファからなるユニットソファは、多様な組合せによりさまざまな配置パターンが可能である。
【００３１】
以下の説明では、第１ソファ１０ａ〜１０ｕは、第１ソファ１０と同様の構成であり、第１ソファ１０ａの各部材についても、同様に側部１２ａ、第１側部１７ａ、第２側部１８ａなどと称する。
【００３２】
図１３〜図１７に示す例では、ユニットソファ１は、２つの第１ソファ１０ａ、１０ｂを含む。以下、第１ソファ１０ａ、１０ｂを組み合わせたユニットソファ１の配置パターンの例を説明する。
【００３３】
図１３に示す例では、第１ソファ１０ａ、１０ｂは、第１ソファ１０ａ、１０ｂの座面１６ａ、１６ｂが完全に接するように、つまり第１ソファ１０ａ、１０ｂの側部１２ａ、１２ｂがコの字型を形成するように配置されている。この配置では、ユニットソファ１は、横に並んで２人掛けできるユニットソファとなる。
【００３４】
図１４に示す例では、第１ソファ１０ａ、１０ｂは、図１３に示す配置から第１ソファ１０ｂを右９０°回転させた状態で、つまり第１ソファ１０ａ、１０ｂの座面１６ａ、１６ｂの一部が接するように配置されている。この配置では、ユニットソファ１は、互いに逆向きに座るユニットソファとなる。
【００３５】
図１５に示す例では、第１ソファ１０ａ、１０ｂが同じ向きで並べて配置されている。この配置では、ユニットソファ１は、第１ソファ１０ａ、１０ｂの間が第１ソファ１０ｂの第１側部１７ｂで仕切られ、互いに同じ向き又は９０°異なる向きで座る２人掛けユニットソファとなる。
【００３６】
図１６に示す例では、第１ソファ１０ａ、１０ｂは、図１５に示す配置から第１ソファ１０ｂを左９０°回転させた状態で配置されている。この配置では、ユニットソファ１は、第１ソファ１０ａ、１０ｂの間が第１ソファ１０ｂの第２側部１８ｂで仕切られ、互いに逆向き又は９０°異なる向きで座る２人掛けユニットソファとなる。
【００３７】
図１７に示す例では、第１ソファ１０ａ、１０ｂは、図１５に示す配置から第１ソファ１０ａを右９０°回転させた状態で配置されている。この配置では、ユニットソファ１は、第１ソファ１０ａ、１０ｂの間が第１ソファ１０ａの第２側部１８ａ及び第１ソファ１０ｂの第１側部１７ｂで仕切られ、互いに同じ向きか９０°異なる向きか逆向きに座る２人掛けユニットソファとなる。
【００３８】
このように、図１５〜図１７に示す配置では、第１ソファ１０ａ、１０ｂの第１側部１７ａ、１７ｂ及び第２側部１８ａ、１８ｂがパーティションの役割を果たす。
【００３９】
図１８及び図１９に示す例では、ユニットソファ２は、３つの第１ソファ１０ｃ、１０ｄ、１０ｅを含む。以下、第１ソファ１０ｃ、１０ｄ、１０ｅを組み合わせたユニットソファ２の配置パターンの例を説明する。
【００４０】
図１８に示す例では、第１ソファ１０ｃ、１０ｄ、１０ｅが同じ向きで並べて配置されている。この配置では、ユニットソファ２は、第１ソファ１０ｃ、１０ｄの間が第１ソファ１０ｄの第１側部１７ｄで仕切られ、第１ソファ１０ｄ、１０ｅの間が第１ソファ１０ｅの第１側部１７ｅで仕切られ、同じ向きに座る又は第１ソファ１０ｅに座る人のみ９０°異なる向きで座る３人掛けユニットソファとなる。
【００４１】
図１９に示す例では、第１ソファ１０ｃ、１０ｄ、１０ｅは、図１８に示す配置から第１ソファ１０ｄを左９０°回転させた状態で配置されている。この配置では、ユニットソファ２は、第１ソファ１０ｃ、１０ｄの間が第１ソファ１０ｄの第２側部１８ｄで仕切られ、第１ソファ１０ｄ、１０ｅの間が第１ソファ１０ｅの第１側部１７ｅで仕切られ、両端に座る人と中央に座る人が逆向きに座る又は３人とも異なる向きに座る３人掛けユニットソファとなる。
【００４２】
図２０及び図２１に示す例では、ユニットソファ３は、２つの第１ソファ１０ｆ、１０ｇと、１つの第２ソファ３０ａとを含む。以下、第１ソファ１０ｆ、１０ｇ及び第２ソファ３０ａを組み合わせたユニットソファ３の配置パターンの例を説明する。
【００４３】
図２０に示す例では、第１ソファ１０ｆ、１０ｇの間に第２ソファ３０ａが配置されている。この配置では、ユニットソファ３は、第１ソファ１０ｆ、１０ｇの座面１６ｆ、１６ｇと第２ソファ３０ａの座面３６ａとが完全に接するように、つまり第１ソファ１０ｆ、１０ｇの側部１２ｆ、１２ｇと第２ソファ３０ａの背もたれ部３２ａがコの字型を形成するように配置されている。この配置では、ユニットソファ３は、横に並んで３人掛けできるユニットソファとなる。
【００４４】
図２１に示す例では、第１ソファ１０ｆ、１０ｇは、図２０に示す組合せから第１ソファ１０ｆを右９０°回転させ、第１ソファ１０ｇを左９０°回転させた状態で配置されている。この配置では、ユニットソファ３は、第１ソファ１０ｆと第２ソファ３０ａとの間が第１ソファ１０ｆの第２側部１８ｆで仕切られ、第２ソファ３０ａと第１ソファ１０ｇとの間が第１ソファ１０ｇの第１側部１７ｇで仕切られ、同じ向きで座るか端に座る人のみ９０°異なる向きに座るか３人とも異なる向きに座る３人掛けユニットソファとなる。
【００４５】
図２２に示す例では、ユニットソファ４は、第１ソファ１０ｈと、第３ソファ４０ａとを含む。図２２に示す例では、第１ソファ１０ｈの座面１６ｈが第３ソファ４０ａの座面４６ａに完全に接するように配置されている。この配置では、ユニットソファ４は、同じ向きで座る３人掛けユニットソファとなる。
【００４６】
図２３に示す例では、ユニットソファ５は、４つの第１ソファ１０ｉ、１０ｊ、１０ｋ、１０ｌを含む。図２３に示す例では、第１ソファ１０ｉ、１０ｊ、１０ｋ、１０ｌが背中合わせで正方形を形成するように配置されている。この配置では、ユニットソファ５は、各第１ソファ１０ｉ、１０ｊ、１０ｋ、１０ｌ間が各側部１２ｉ、１２ｊ、１２ｋ、１２ｌで仕切られた４人掛けのユニットソファとなる。最大２人が同じ向きで座るか全員が異なる向きに座ることが可能である。
【００４７】
図２４に示す例では、ユニットソファ６は、５つの第１ソファ１０ｍ、１０ｎ、１０ｏ、１０ｐ、１０ｑを含む。図２４に示す例では、５つの第１ソファ１０ｍ、１０ｎ、１０ｏ、１０ｐ、１０ｑが各側部１２ｍ、１２ｎ、１２ｏ、１２ｐ、１２ｑを背中合わせにしてジグザグに配置されている。この配置では、ユニットソファ６は、第１ソファ１０ｍ、１０ｎ、１０ｏ、１０ｐ、１０ｑ間が各側部１２ｍ、１２ｎ、１２ｏ、１２ｐ、１２ｑで仕切られた５人掛けのユニットソファとなる。第１ソファ１０ｍ、１０ｏ、１０ｑに座る人と第１ソファ１０ｎ、１０ｐに座る人で異なる向きに座ることが可能である。
【００４８】
図２５に示す例では、ユニットソファ７は、４つの第１ソファ１０ｒ、１０ｓ、１０ｔ、１０ｕと、４つの第２ソファ３０ｂ、３０ｃ、３０ｄ、３０ｅとを含む。図２５に示す例では、四隅に第１ソファ１０ｒ、１０ｓ、１０ｔ、１０ｕを配置し、各第１ソファの間に第２ソファ３０ｂ、３０ｃ、３０ｄ、３０ｅを配置して大きな正方形が形成されている。この配置では、ユニットソファ７は、第１ソファ１０ｒ、１０ｓ、１０ｔ、１０ｕと第２ソファ３０ｂ、３０ｃ、３０ｄ、３０ｅとの間が第１ソファ１０ｒ、１０ｓ、１０ｔ、１０ｕの側部１２ｒ、１２ｓ、１２ｔ、１２ｕで仕切られた８人掛けユニットソファとなる。最大３人が同じ向きで座ることが可能である。
【００４９】
このように、ユニットソファ１〜７は、さまざまな配置パターンをとることができる。特に、第１ソファ１０の側部１２（第１側部１７及び第２側部１８）がパーティションの役割を果たすことで、ソーシャルディスタンスを保ったさまざまな配置パターンが実現される。
【００５０】
図２６及び図２７に示す例では、ユニットソファ８は、第１ソファ１０と第２ソファ３０と第３ソファ４０とを１つずつ含む。第１ソファ１０、第２ソファ３０及び第３ソファ４０は、Ｌ字型に配置されている。このような配置のＬ字型のコーナーソファとすることもできる。
【００５１】
図２８〜図３０は、それぞれ、第１ソファ５０、第２ソファ６０及び第３ソファ７０の他の例を示す図である。
【００５２】
第１ソファ５０は、第１ソファ１０と同様のソファである。第１ソファ５０は、座部５１と、側部５２と、４つの脚部５３とを有している。第１ソファ５０では、側部５２にボタン締め５４を施している。
【００５３】
第２ソファ６０は、第２ソファ３０と同様の形状のソファである。第２ソファ６０は、座部６１と、背もたれ部６２と、４つの脚部６３とを有している。第２ソファ６０では、背もたれ部６２にボタン締め６４を施している。
【００５４】
第３ソファ７０は、第３ソファ４０と同様の形状のソファである。第３ソファ７０は、座部７１と、背もたれ部７２と、４つの脚部７３とを有している。第１ソファ７０では、背もたれ部７２にボタン締め７４を施している。
【００５５】
図３１に示す例では、ユニットソファ９は、第１ソファ５０と第２ソファ６０と第３ソファ７０とを１つずつ含み、図２７と同様にＬ字型に配置されている。このような配置のＬ字型のコーナーソファとすることもできる。
【００５６】
本実施形態では、ユニットソファは、第１座面を有する第１座部と、第１座部に当接し第１座部に略垂直に延びたＬ字型の側部と、第１座部に取り付けられ第１座部から下方に延びた第１脚部と、を有する第１ソファと、第２座面を有する第２座部と、第２座部に当接し第２座部に略垂直に延びた背もたれ部と、第２座部に取り付けられ第２座部から下方に延びた第２脚部と、を有する第２ソファと、第３座面を有する第３座部と、第３座部に当接し第３座部に略垂直に延びた背もたれ部と、第３座部に取り付けられ第３座部から下方に延びた第３脚部と、を有する第３ソファと、から選択された２以上のソファからなり、ユニットソファは、少なくとも１つの第１ソファを含む。第１ソファの幅と第２ソファの幅は略等しく、第３ソファの幅は第１ソファ及び第２ソファの幅の略２倍であり、第１ソファと第２ソファと第３ソファの奥行きは略等しく、第１ソファと第２ソファと第３ソファの高さは略等しく、第１座面と第２座面と第３座面との高さは略等しい。各ソファの幅、奥行き及び高さが揃っているため、各ソファの向きを変えても組合せが自在で体裁よくさまざまな配置パターンが可能なユニットソファを提供することができる。特に、Ｌ字型の側部を有する第１ソファを含むことで、配置によっては側部がパーティションとして機能することができ、ソーシャルディスタンスを確保できる。また、配置によってはパーソナルスペースの確保にも有効である。
【００５７】
ユニットソファが第１ソファを２つ以上含むことにより、また、隣接して配置された第１ソファ同士の間の位置にＬ字型の側部の一部が配置されることにより、例えば図１５〜図１９、図２１、図２３〜図２５のような配置で各第１ソファの側部がパーティションの役割を果たし、座る人同士の接触を抑えるユニットソファを提供することができる。あるいは、例えば図２４のような配置では、第１ソファ１０ｍに座る人が座面の側辺２４ｍの側に座り、第１ソファ１０ｏに座る人が座面の側辺２５ｏの側に座ることで、より近くに座ることができる。例えば小さい子どもとその親でユニットソファを利用するときに親と子どもがより近くに座ることができ、便利である。
【００５８】
Ｌ字型の側部が互いに略垂直な第１側面と第２側面とをそれぞれ有する第１側部と第２側部とからなり、第１側部と第２側部とが略同一の高さを有することにより、より体系的で組み合せやすいユニットソファとすることができる。第１側面と第２側面のいずれも配置に応じて背もたれ面として機能することができるため、汎用性が高い。座る向きのバリエーションを広げることができる。
【００５９】
また、第１ソファの座部と第２ソファの座部と第３ソファの座部の厚みが略等しく、第１ソファの脚部と第２ソファの脚部と第３ソファの脚部の高さは略等しいことにより、各ソファを組み合わせて配置した際の体裁がよい。
【００６０】
以上、本考案の実施形態について説明してきたが、本考案の趣旨を逸脱しない範囲で種々の変形及び変更が可能である。
【符号の説明】
【００６１】
１〜９  ユニットソファ
１０  第１ソファ
１１  座部（第１座部）
１２  側部
１３  脚部（第１脚部）
１６  座面（第１座面）
１７  第１側部
１８  第２側部
３０  第２ソファ
３１  座部（第２座部）
３２  背もたれ部
３３  脚部（第２脚部）
３６  座面（第２座面）
４０  第３ソファ
４１  座部（第３座部）
４２  背もたれ部
４３  脚部（第３脚部）
４６  座面（第３座面）
【図１】
0003234304.tif 000003
【図２】
0003234304.tif 000004
【図３】
0003234304.tif 000005
【図４】
0003234304.tif 000006
【図５】
0003234304.tif 000007
【図６】
0003234304.tif 000008
【図７】
0003234304.tif 000009
【図８】
0003234304.tif 000010
【図９】
0003234304.tif 000011
【図１０】
0003234304.tif 000012
【図１１】
0003234304.tif 000013
【図１２】
0003234304.tif 000014
【図１３】
0003234304.tif 000015
【図１４】
0003234304.tif 000016
【図１５】
0003234304.tif 000017
【図１６】
0003234304.tif 000018
【図１７】
0003234304.tif 000019
【図１８】
0003234304.tif 000020
【図１９】
0003234304.tif 000021
【図２０】
0003234304.tif 000022
【図２１】
0003234304.tif 000023
【図２２】
0003234304.tif 000024
【図２３】
0003234304.tif 000025
【図２４】
0003234304.tif 000026
【図２５】
0003234304.tif 000027
【図２６】
0003234304.tif 000028
【図２７】
0003234304.tif 000029
【図２８】
0003234304.tif 000030
【図２９】
0003234304.tif 000031
【図３０】
0003234304.tif 000032
【図３１】
0003234304.tif 000033